(57)【要約】【課題】建具の排水口からの排水によって建具の下方に設置されたデッキに汚れや変色を生じることを防止することができる建具の排水構造を提供する。【解決手段】建具の排水構造１０は、建物１６の外壁１６ｃの屋外側に設置されるデッキ１４の上方で、躯体１６ａの開口部１６ｂに固定される枠体１８を備え、枠体１８の下枠１８ｂ又は縦枠１８ｃ，１８ｄの下部に排水口２６ａ，２６ｂが設けられた構成において、排水口２６ａ，２６ｂは、下枠１８ｂの外壁１６ｃよりも屋外側に張り出した張出部位３４又は縦枠１８ｃ，１８ｄの下部の外壁１６ｃよりも屋外側に張り出した部位に設けられ、デッキ１４は、平面視で排水口２６ａ，２６ｂの下方に重なる位置に配置されており、排水口２６ａ，２６ｂから流れ落ちた水をデッキ１４の上面１４ａ以外に排出可能な排水部品５０を、デッキ１４の上面１４ａに設けている。【選択図】図３
2019112809.tif 000002
【特許請求の範囲】
【請求項１】
建物の外壁の屋外側に設置されるデッキの上方で、前記建物の躯体の開口部に固定される枠体を備え、該枠体の下枠又は縦枠の下部に排水口が設けられた建具の排水構造であって、
前記排水口は、前記下枠又は前記縦枠の下部の前記外壁よりも屋外側に張り出した部位に設けられ、
前記デッキは、平面視で前記排水口の下方に重なる位置に配置されており、
前記排水口から流れ落ちた水を前記デッキの上面以外に排出可能な排水部品を、前記デッキの上面に設けたことを特徴とする建具の排水構造。
【請求項２】
請求項１に記載の建具の排水構造において、
前記デッキは、前記外壁側の一端面が前記外壁との間に隙間を設けて配置されており、
前記排水部品は、前記排水口から流れ落ちた水を前記隙間へと排出可能であることを特徴とする建具の排水構造。
【請求項３】
請求項２に記載の建具の排水構造において、
前記排水部品は、前記デッキ側から前記外壁側に向かう方向に延在した排水面を有し、
平面視で該排水面の前記外壁側の一端部が前記デッキの前記一端面に重なる位置又は前記隙間の上方に重なる位置に配置され、該排水面の前記一端部とは反対側の他端部が前記排水口の下方に重なる位置よりも前記外壁から離間した位置に配置されていることを特徴とする建具の排水構造。
【請求項４】
請求項３に記載の建具の排水構造において、
前記排水面は、前記枠体を屋外側から見た正面視で、前記排水口の左右幅寸法よりも大きな左右幅寸法を有することを特徴とする建具の排水構造。
【請求項５】
請求項３又は４に記載の建具の排水構造において、
前記排水面は、前記他端部から前記一端部に向かって下方に傾斜した傾斜面であることを特徴とする建具の排水構造。
【請求項６】
請求項３〜５のいずれか１項に記載の建具の排水構造において、
前記排水部品は、前記排水面の前記一端部以外の端部に、該排水面を囲んで起立した止水壁を有することを特徴とする建具の排水構造。
【発明の詳細な説明】
【技術分野】
【０００１】
本発明は、枠体に排水口を有する建具の排水構造に関する。
【背景技術】
【０００２】
建物の窓や出入口に設けられる建具では、障子を支持する枠体の下枠や縦枠の下部に排水口を設けた構成が広く採用されている。排水口は、例えば下枠の屋外側見付け面に形成され、枠体の内側に流入した雨水や結露水等を屋外に排出可能である。
【０００３】
ところで、排水口を有する建具の場合、降雨等によって枠体の内側に流入した雨水等は、排水口から集中的に排出されることになる。このため、排水口の下方に部材がある場合、この部材に排水口からの排水が集中して流れ落ち、この部材に局所的な汚れや劣化を生じる懸念がある。例えば特許文献１には、排水口からの排水が建物の外壁に伝うことで外壁に汚れが付着することを防止するため、排水口の下方にある外壁に水切部材を設け、排水が外壁を伝って流れ落ちることを防止した構成が開示されている。
【先行技術文献】
【特許文献】
【０００４】
【特許文献１】特許第４７９４７７４号公報
【発明の概要】
【発明が解決しようとする課題】
【０００５】
ところで、建物の屋外側にバルコニーやテラス等が設置された構成では、建具の排水口からの排水がバルコニーやテラスの床面を構成するデッキの上面へと流れ落ちることになる。そうすると、デッキの上面は、排水口の下方となる位置に集中的に水が流れ落ちるため、この部分は他の部分に比べて深い水溜まりが長時間残り、苔や汚れを生じる可能性がある。特に、デッキ材が木や再生木等で形成されている場合は、排水口の下方となる部分に溜まった水によって木材や木粉が色抜けし、外観品質が低下する。一方、上記特許文献１の水切部材は、建物の外壁から屋外側へと排水を流す構造となっているため、下方にデッキを設けた構成に適用した場合、水切部材からの排水はデッキの上面にそのまま流れ落ちる。つまり、上記特許文献１の構成では、枠体の下方にあるデッキでの局所的な苔や汚れ、変色等の問題を防ぐことはできない。
【０００６】
本発明は、上記従来技術の課題を考慮してなされたものであり、建具の排水口からの排水によって建具の下方に設置されたデッキに汚れや変色を生じることを防止することができる建具の排水構造を提供することを目的とする。
【課題を解決するための手段】
【０００７】
本発明に係る建具の排水構造は、建物の外壁の屋外側に設置されるデッキの上方で、前記建物の躯体の開口部に固定される枠体を備え、該枠体の下枠又は縦枠の下部に排水口が設けられた建具の排水構造であって、前記排水口は、前記下枠又は前記縦枠の下部の前記外壁よりも屋外側に張り出した部位に設けられ、前記デッキは、平面視で前記排水口の下方に重なる位置に配置されており、前記排水口から流れ落ちた水を前記デッキの上面以外に排出可能な排水部品を、前記デッキの上面に設けたことを特徴とする。
【０００８】
このような構成によれば、下枠や縦枠の下部に設けられた排水口からの排水が排水部品を介してデッキの上面以外に排出される。このため、排水口からの排水がデッキの上面の一部に集中的に流れ落ち、デッキの上面に局所的な苔や汚れ、変色等を生じることを防止できる。
【０００９】
本発明に係る建具の排水構造において、前記デッキは、前記外壁側の一端面が前記外壁との間に隙間を設けて配置されており、前記排水部品は、前記排水口から流れ落ちた水を前記隙間へと排出可能な構成としてもよい。そうすると、排水口からの排水を当該建具が設置された建物やデッキの外観上で目立ち難いデッキと外壁との間の隙間に排出できる。
【００１０】
本発明に係る建具の排水構造において、前記排水部品は、前記デッキ側から前記外壁側に向かう方向に延在した排水面を有し、平面視で該排水面の前記外壁側の一端部が前記デッキの前記一端面に重なる位置又は前記隙間の上方に重なる位置に配置され、該排水面の前記一端部とは反対側の他端部が前記排水口の下方に重なる位置よりも前記外壁から離間した位置に配置された構成としてもよい。そうすると、排水口からの排水を排水部品を介してデッキと外壁との間の隙間へと一層円滑に排出できる。
【００１１】
本発明に係る建具の排水構造において、前記排水面は、前記枠体を屋外側から見た正面視で、前記排水口の左右幅寸法よりも大きな左右幅寸法を有する構成としてもよい。そうすると、排水口からの排水を排水面で確実に受けて止めてデッキの外側に排出することができる。
【００１２】
本発明に係る建具の排水構造において、前記排水面は、前記他端部から前記一端部に向かって下方に傾斜した傾斜面で構成してもよい。そうすると、排水口からの排水を排水面上を流してデッキの外側へと円滑に排出することができる。
【００１３】
本発明に係る建具の排水構造において、前記排水部品は、前記排水面の前記一端部以外の端部に、該排水面を囲んで起立した止水壁を有する構成としてもよい。そうすると、排水面を流れる水がその排出口である一端部以外の端部から流出することを防止できる。
【発明の効果】
【００１４】
本発明によれば、建具の排水口からの排水により、建具の下方に設置されたデッキに汚れや変色を生じることを防止できる。
【図面の簡単な説明】
【００１５】
【図１】本発明の一実施形態に係る建具の排水構造を適用した建具とデッキを屋外側から見た正面図である。
【図２】図１に示す建具とデッキの要部を拡大した縦断面図である。
【図３】排水部品及びその周辺部を拡大した縦断面図である。
【図４】排水口と外壁とデッキと排水部品の配置関係を模式的に示した平面図である。
【図５】排水部品の構成を模式的に示した斜視図である。
【図６】変形例に係る排水部品の側面図である。
【発明を実施するための形態】
【００１６】
以下、本発明に係る建具の排水構造について好適な実施の形態を挙げ、添付の図面を参照しながら詳細に説明する。
【００１７】
図１は、本発明の一実施形態に係る建具の排水構造１０を適用した建具１２とデッキ１４を屋外側から見た正面図である。図２は、図１に示す建具１２とデッキ１４の要部を拡大した縦断面図である。本実施形態では、引違い窓で構成された建具１２の屋外側下方にテラスの床を構成するデッキ１４を設置した構成からなる建具の排水構造１０（以下、単に「排水構造１０」ともいう）を例示する。建具１２は、引違い窓以外の窓種、例えば片引き窓を含む他のスライディング窓、開き窓等の回転窓、ドア等であってもよい。デッキ１４は、テラス以外の屋外構造物、例えばバルコニーの床面を構成するものであってもよく、後述するデッキ材４２を持たずにコンクリート面等をそのまま床面として利用した構成等であってもよい。
【００１８】
図１及び図２に示すように、建具１２は、建物１６の躯体１６ａの開口部１６ｂに設置され、建物１６の外壁１６ｃの屋外側に設置されたデッキ１４への出入り口となる窓である。建具１２は、開口部１６ｂに固定された枠体１８と、枠体１８にスライド可能に支持された左右一対の障子２０，２１とを備える。障子２０，２１は、例えば樹脂製或いは金属製の框体でガラス板等の面材を保持した構造である。
【００１９】
枠体１８は、上枠１８ａと、下枠１８ｂと、左右の縦枠１８ｃ，１８ｄとを四周枠組みすることで矩形の開口部を形成したものである。枠体１８は、塩化ビニル樹脂（ＰＶＣ）等の樹脂の押出形材である。枠体１８は、アルミニウム等の金属の押出形材でもよいし、金属形材に樹脂形材を装着した複合構造でもよい。枠体１８は、くぎやねじ等の固定具２２を用いて躯体１６ａに固定される。
【００２０】
本出願において、見込み方向とは建具１２の屋内外方向、つまり屋内側から屋外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１８ｃ等の場合はその長手方向に直交する左右方向（図中に矢印Ｘで示す方向）をいい、左右方向に長尺な上枠１８ａ等の場合はその長手方向に直交する上下方向（図中に矢印Ｚで示す方向）をいう。見付け面とは見付け方向に沿った面をいう。枠状部材の内側（内周）とは、例えば枠体１８の枠内側をいい、枠状部材の外側（外周）とは、例えば枠体１８の躯体１６ａに固定される枠外側をいう。
【００２１】
図２に示すように、下枠１８ｂは、屋外側見付け面２４に排水口２６ａ，２６ｂが貫通形成されている。本実施形態の場合、下枠１８ｂは、略見込み方向に沿って延びた隔壁２８によって上下２段に区画されている。そこで下枠１８ｂには、隔壁２８の上部空間と下部空間とにそれぞれ対応するように上下一対の排水口２６ａ，２６ｂが設けられている。これら一対の排水口２６ａ，２６ｂは、下枠１８ｂの長手方向で左右一対設けられている（図１参照）。例えば排水口２６ａを省略し、排水口２６ｂのみを設けてもよい。隔壁２８の上面（内面）には、障子２０，２１が走行するレール３０ａ，３０ｂが突設されている。上側の排水口２６ａは、レール３０ａ，３０ｂ及びレール３０ａ，３０ｂ間の見付け片等に形成された孔部や開口を介して隔壁２８の上面を流れた雨水等を外部に排出する。下側の排水口２６ｂは、隔壁２８に形成された孔部からその下側（外側）の複数の中空部３１に流れ落ち、各中空部３１間の仕切り壁に形成された孔部や開口を通過した雨水等を外部に排出する。
【００２２】
各排水口２６ａ，２６ｂには、それぞれ排水弁３２が装着されている。排水弁３２は、排水口２６ａ，２６ｂに対して屋外側から嵌合装着される。排水弁３２は、通常時は弁体によって閉じられており、下枠１８ｂ内から屋外側へと向かう水の水圧によって開弁可能である。排水弁３２は、弁体を持たずに常時開口した単なるキャップ構造等でもよい。排水弁３２は、省略されてもよい。
【００２３】
図２に示すように、枠体１８は、その屋外側部位が外壁１６ｃよりも屋外側に張り出している。つまり下枠１８ｂは、外壁１６ｃよりも屋外側に張り出した張出部位３４を有する。排水口２６ａ，２６ｂは、張出部位３４に位置した屋外側見付け面２４に設けられている。張出部位３４は、躯体１６ａの屋外側壁面に対し、略Ｌ字状のブラケット３６を用いて強固に支持されている。
【００２４】
デッキ１４は、複数の束柱３８の上端部に固定された複数の根太４０でデッキ材４２を支持した構成である。各束柱３８は、地面４４上に起立しており、Ｘ方向両側の束柱３８，３８の上端部間に根太４０が亘っている。本実施形態では、コンクリート等によって形成された建物１６の基礎１６ｄの屋外側縁部に犬走り１６ｅが設置されている。図２に示す構成例では、犬走り１６ｅも地面４４の一部として図示している。デッキ材４２は、中空部を設けて強度が確保された矩形の筒状部材であり、屋内外方向（Ｙ方向）に延在している。デッキ材４２は、根太４０の上部で下枠１８ｂの長手方向（Ｘ方向）に沿って複数枚並列されており、これら各デッキ材４２によってデッキ１４の床面（上面１４ａ）が形成されている。デッキ材４２は、木粉を樹脂で固めた再生木板で形成されている。デッキ材４２は、天然木板や樹脂板等で構成されてもよい。
【００２５】
図２に示すように、デッキ１４は、外壁１６ｃ側の一端面１４ｂが下枠１８ｂの張出部位３４の下方に潜り込んだ位置にある。つまりデッキ１４は、平面視で排水口２６ａ，２６ｂの下方に重なる位置に配置されると共に、下枠１８ｂの下面との間にはある程度の空間が形成されている。デッキ１４の一端面１４ｂは、建物１６の外壁１６ｃとの間に、例えば８ｍｍ程度の隙間Ｃを設けて配置される。この隙間Ｃは、例えばデッキ１４上を人が歩いてデッキ材４２や根太４０が撓んだ際、デッキ材４２が外壁１６ｃに干渉することを回避するための逃げ部である。
【００２６】
このようにデッキ１４の一端面１４ｂが建具１２の下方に潜り込んだ構成では、排水口２６ａ，２６ｂの下方に重なる位置にデッキ１４の上面１４ａが配置される（図２参照）。このため、枠体１８の内側に入り込んだ雨水等は、排水口２６ａ，２６ｂから排水されると、デッキ１４の上面１４ａ上の決まった位置に集中的に流れ落ちる。そうすると、上記した通り、排水口２６ａ，２６ｂの下方にあるデッキ材４２に局所的な苔や汚れ、変色を生じる可能性がある。そこで、当該排水構造１０は、デッキ１４の上面１４ａに排水部品５０を取り付け、デッキ材４２での局所的な汚れや変色を防止している。
【００２７】
図３は、排水部品５０及びその周辺部を拡大した縦断面図である。図４は、排水口２６ａ，２６ｂ（排水弁３２）と外壁１６ｃとデッキ１４と排水部品５０の配置関係を模式的に示した平面図である。図５は、排水部品５０の構成を模式的に示した斜視図である。
【００２８】
排水部品５０は、デッキ１４の上面１４ａに配置され、排水口２６ａ，２６ｂから流れ落ちた雨水等をデッキ１４の外側へと排出する。図３〜図５に示すように、排水部品５０は、非吸水性又は低吸収性の樹脂等によって形成された樋状部品であり、排水面５２と、止水壁５４ａ，５４ｂ，５４ｃとを有する塵取り形状である。
【００２９】
排水面５２は、排水部品５０の上面に形成され、排水口２６ａ，２６ｂから流れ落ちた水を受け止めると共に、デッキ１４の外側へと流す流路の底面を形成する。排水面５２は、デッキ１４側から外壁１６ｃ側に向かう方向（Ｙ方向）に延在している。排水面５２は、外壁１６ｃ側の一端部５２ａが隙間Ｃの上方に重なる位置に配置され、反対側の他端部５２ｂが排水口２６ａ，２６ｂの下方に重なる位置よりもＹ方向で外壁１６ｃから離間した位置に配置される。排水面５２は、図１に示す正面視で排水口２６ａ，２６ｂ（又は排水弁３２の排出口）の左右幅寸法（Ｘ方向寸法）と同一以上の左右幅寸法（Ｘ方向寸法）を有する（図４も参照）。本実施形態の場合、排水面５２の左右幅寸法は、排水口２６ａ，２６ｂよりも大きい。排水面５２を流れた水は、排出口となる一端部５２ａから隙間Ｃへと落下する。本実施形態の場合、排水面５２は、上流側の他端部５２ｂから下流側の一端部５２ａに向かって漸次下方に傾斜した傾斜面で構成されているため、より円滑な水の流れが確保される。一端部５２ａは、デッキ１４の一端面１４ｂに重なる位置、つまり一端面１４ｂと面一の位置に設定されてもよい。
【００３０】
止水壁５４ａ〜５４ｃは、排水面５２の排出口となる一端部５２ａを除く３方の端部から排水面５２を囲むように起立している。止水壁５４ａ〜５４ｃは、排水面５２を流れる水が一端部５２ａ以外の端部から流出することを防止する堤防である。本実施形態の場合、排水面５２は、他端部５２ｂから一端部５２ａに向かって下がる傾斜面であるため、水は重力によって必ず一端部５２ａに向かう。このため、他端部５２ｂ側の止水壁５４ｂは省略してもよい。また、例えば排水面５２が平面ではなくてＸ方向中央に向かって凹んだ湾曲面等である場合等には、全ての止水壁５４ａ〜５４ｃを省略してもよい。反対に、止水壁５４ａ〜５４ｃを設けた場合には、排水面５２を傾斜面ではなく水平面で構成してもよい。
【００３１】
図３及び図４に示すように、排水部品５０は、屋内外方向（Ｙ方向）において、一端部５２ａがデッキ１４の一端面１４ｂから隙間Ｃ側に突出した位置でデッキ１４の上面１４ａ上に固定される。排水部品５０は、その下面がデッキ１４の上面１４ａに対して接着剤、両面テープ又はねじ等を用いて固定される。排水部品５０は、下枠１８ｂの長手方向（Ｘ方向）において、排水面５２が排水口２６ａ，２６ｂ（排水弁３２）の下方に重なる位置に配置される（図１も参照）。
【００３２】
次に、本実施形態に係る建具の排水構造１０での排水動作及び作用を説明する。図３中に１点鎖線で示す矢印は、排水口２６ａ，２６ｂから排出される水Ｗの流通軌跡を例示している。
【００３３】
図３に示すように、建具１２が降水等を受け、枠体１８の内側に雨水等の水Ｗが流入した場合、この水Ｗは、下枠１８ｂ内を屋内側から屋外側へと流れ、各排水口２６ａ，２６ｂから排水弁３２を介して下枠１８ｂの外部に排出される。そうすると、水Ｗは、排水口２６ａ，２６ｂの下方に配置された排水部品５０の排水面５２上に流れ落ち、排水面５２上を他端部５２ｂ側から一端部５２ａ側に向かって流れる。そして、水Ｗは、排水面５２の一端部５２ａから隙間Ｃへと流れ落ちた後、外壁１６ｃの下部から突出した水切り１６ｆを介して地面４４（犬走り１６ｅ）に流れ落ちる。
【００３４】
従って、当該排水構造１０は、排水口２６ａ，２６ｂからの排水を排水部品５０を介して隙間Ｃ、つまりデッキ１４の上面１４ａの外周縁部よりも外側に排出できる。このため、排水口２６ａ，２６ｂからの排水がデッキ材４２の上面１４ａの一部に集中的に流れ落ち、デッキ材４２が局所的な苔や汚れ、変色等を生じることを防止できる。また、排水部品５０は、枠体１８によって上部が隠されたデッキ１４の屋内側の隙間Ｃに排水するため、排水部品５０からの排水が目立つこともない。このように当該排水構造１０は、排水部品５０をデッキ１４の上面１４ａに固定するだけでよく、排水部品５０は、建具１２やデッキ１４の施工後であっても容易に後付けできる。従って、当該排水構造１０は建具１２の窓種、デッキ１４の種類や材質を問わずに適用でき、汎用性が高い。
【００３５】
ところで、本実施形態の場合、建具１２は、枠体１８を樹脂製とした樹脂サッシである。このため、図１に示すように、枠体１８の各枠１８ａ〜１８ｄは、その端部が４５度の切断面同士で接合されており、下枠１８ｂはその下面に排水口を開口形成することが難しい。そこで、建具１２では、排水口２６ａ，２６ｂを下枠１８ｂの屋外側見付け面２４に形成している。つまり、建具１２が樹脂サッシである場合は、排水口２６ａ，２６ｂからの排水がデッキ１４の上面１４ａにおける下枠１８ｂの下方に重なる位置よりも屋外側に露出した位置に流れ落ち、汚れや変色がデッキ１４の目立ち易い場所に発生する懸念がある。この点、当該排水構造１０は排水部品５０を設けるだけでこのような樹脂サッシでの問題を解消できる。
【００３６】
図６は、変形例に係る排水部品６０の側面図である。図６に示すように、排水部品６０は、図５に示す排水部品５０と比べて、一端部５２ａの下面側に位置決め片６２が設けられている。位置決め片６２は、排水面５２の幅方向（Ｘ方向）に亘って延在しており、排水部品６０の下面の一端部５２ａから下方に突出している。排水部品６０は、位置決め片６２の屋外側側面６２ａをデッキ１４の一端面１４ｂに当接配置することで、デッキ１４に対して所望の屋内外方向位置で正確に位置決めできる。
【００３７】
ところで、建物１６の外壁１６ｃの仕様やデッキ１４の構造等によっては、例えば隙間Ｃが非常に狭く、位置決め片６２を隙間Ｃを介してデッキ１４の一端面１４ｂに位置決めしようとすると、排水部品６０の一端部５２ａが外壁１６ｃに当接してしまう場合も想定される。そこで、このような問題に対応するため、排水部品６０は、例えば一端部５２ａに平行する方向で一端部５２ａ側を所定距離で容易に切断できる材質等で形成されるとよい。又は、排水部品６０は、図６中に２点鎖線で示すＸ方向に延びた切断線（折り取り溝）６４をＹ方向に所定間隔で形成しておき、この切断線６４を基準に切断或いは折り取りし、その長さを調整してもよい。なお、図５に示す排水部品５０においても、その一端部５２ａがデッキ１４の一端面１４ｂに当接する問題が発生する可能性もある。そこで、切断し易い材質や切断線６４は、排水部品５０に適用しても勿論よい。
【００３８】
なお、本発明は、上記した実施形態に限定されるものではなく、本発明の主旨を逸脱しない範囲で自由に変更できることは勿論である。
【００３９】
上記では、排水口２６ａ，２６ｂは、下枠１８ｂの屋外側見付け面２４に設けた構成を例示したが、排水口２６ａ，２６ｂは、例えば下枠１８ｂの下面（外側見込み面）に設けられてもよい。また、排水口２６ａ，２６ｂは、孔部ではなく、例えば屋外側見付け面２４を上端面から下方に向かって切り欠いた形状の開口で構成されてもよい。なお、枠体１８が、例えば左右の縦枠１８ｃ，１８ｄの一部を切り欠いて下枠１８ｂの左右端部をそれぞれインロー式で連結した縦勝ち構造である場合、縦枠１８ｃ，１８ｄの外壁１６ｃよりも屋外側に張り出した部位の下端小口にこれを隠すキャップ部品が装着され、このキャップ部品の下面に排水口が開口形成される場合がある。この場合、排水部品５０，６０は、このように縦枠１８ｃ，１８ｄの下部に設けられた排水口から流れ落ちる排水をデッキ１４の上面１４ａの外側へと排出可能に設けられればよい。
【００４０】
上記では、排水部品５０，６０は、排水口２６ａ，２６ｂからの排水をデッキ１４の上面１４ａから隙間Ｃに排出する構成を例示したが、排水部品５０，６０は排水をデッキ１４の上面１４ａ以外に排出可能であればよく、例えば図１に示す正面視でデッキ１４の上面１４ａの左右縁部よりも外側に排出する構成等としてもよい。
【符号の説明】
【００４１】
１０  建具の排水構造、１２  建具、１４  デッキ、１４ａ  上面、１４ｂ  一端面、１６  建物、１６ａ  躯体、１６ｃ  外壁、１８  枠体、１８ｂ  下枠、２４  屋外側見付け面、２６ａ，２６ｂ  排水口、３２  排水弁、３４  張出部位、４２  デッキ材、５０，６０  排水部品、５２  排水面、５２ａ  一端部、５２ｂ  他端部、５４ａ〜５４ｃ  止水壁、６２  位置決め片、Ｃ  隙間。
【図１】
2019112809.tif 000003
【図２】
2019112809.tif 000004
【図３】
2019112809.tif 000005
【図４】
2019112809.tif 000006
【図５】
2019112809.tif 000007
【図６】
2019112809.tif 000008